(57)【特許請求の範囲】
【請求項１】
先端に刃先が形成された針と、該針を保持する筒状のハブと、上記針を囲繞するとともに該針に沿って摺動可能に設けられた筒状の保護カバーとを備え、
上記保護カバーを針の後端側に相対移動させて針の刃先を保護カバーより突出させる使用状態と、上記保護カバーを針の先端側に相対移動させて針の刃先を保護カバー内に収納する収納状態とに切替え可能な留置針において、
上記ハブに筒状の本体部を摺動自在に設けるとともに、この本体部に保護カバーを摺動自在に設けて上記針を本体部及び保護カバー内に摺動自在に貫通させ、また上記本体部と保護カバーとの間にばねを弾装して本体部を後端側に、保護カバーを先端側にそれぞれ付勢させ、
さらに上記本体部とハブとの間に、本体部に対してハブ及び針を先端側に前進させた使用状態で保持する第１保持機構を設け、上記本体部と保護カバーとの間に、上記ばねの弾性力に抗して本体部に対して保護カバーを後端側に後退させた使用状態で保持する第２保持機構を設け、
上記第１保持機構は、上記ハブから本体部に向けて突出する第１突起を備え、この第１突起の後端側の端面を、上記本体部に形成された第１係合部の先端側の端面に係合させて上記ハブが本体部に対して後退しないように使用状態に保持し、
上記第２保持機構は、上記保護カバーから本体部に向けて突出する第２突起を備え、この第２突起の先端側の端面を、上記本体部に形成された第２係合部の後端側の端面に係合させて上記保護カバーが本体部に対して前進しないように使用状態に保持し、
第１保持機構を解除して本体部に対してハブを収容状態に向けて後退させると、上記第１突起は上記ハブが本体部に対して後退された際に第２突起を押圧して該第２突起と第２係合部との係合状態を解除させて第２保持機構を解除し、上記ばねの弾性力により本体部に対して保護カバーが前進し、収納状態となることを特徴とする留置針。
【請求項２】
上記第１突起は、ハブに設けられた可撓性の腕部の先端に設けられ、該腕部を弾性変形させて第１突起の後端側の端面と第１係合部の先端側の端面との係合を解除させ、また第１突起は、該腕部の弾性変形が元の形状に復帰される弾性力により、上記第２突起を押圧して該第２突起と第２係合部との係合状態を解除させることを特徴とする請求項１に記載の留置針。
【請求項３】
上記ハブおよび本体部を収納状態とした際に、ハブが本体部に対して前進するのを規制してその収納状態を保持する第３保持機構を備え、
該第３保持機構は、上記第１突起の先端側の端面と上記第２係合部の後端側の端面とを備え、上記第１突起の先端側の端面は上記ハブを収納状態とした際に第２係合部の後端側の端面に係合して、該ハブが本体部に対して前進するのを規制することを特徴とする請求項１または請求項２のいずれかに記載の留置針。
【請求項４】
上記第３保持機構は、ハブ又は本体部のいずれか一方に形成した第３突起と、ハブ又は本体部のいずれか他方に形成された第３係合部とを備え、上記第３突起は、上記ハブが本体部に対して後退されて収納状態となった際に第３係合部に係合して、該ハブが本体部に対して後退するのを規制することを特徴とする請求項３に記載の留置針。
【請求項５】
上記保護カバーおよび本体部を収納状態とした際に、該保護カバーが本体部に対して後退するのを規制してその収納状態を保持する第４保持機構を備え、
該第４保持機構は、上記第２突起の後端側の端面と上記本体部に形成した第４係合部とを備え、上記第２突起の後端側の端面は上記保護カバーを収納状態とした際に第４係合部の先端側の端面に係合して、該保護カバーが本体部に対して後退するのを規制することを特徴とする請求項１ないし請求項４のいずれかに記載の留置針。
【請求項６】
上記第４保持機構は、保護カバー又は本体部のいずれか一方に形成した第４突起と、保護カバー又は本体部のいずれか他方に形成した第５係合部とを備え、上記第４突起は、上記保護カバーが本体部に対して前進されて収納状態となった際に第４係合部に係合して、該保護カバーが本体部に対して前進するのを規制することを特徴とする請求項５に記載の留置針。
【請求項７】
上記本体部は、上記保護カバーを収容する円筒部と、該円筒部の後端部に設けられて上記針を摺動自在に貫通させたキャップとを備え、上記ばねは、上記保護カバーの後端部とキャップとの間に弾装されることを特徴とする請求項１ないし請求項６のいずれかに記載の留置針。
【請求項８】
上記本体部に、該本体部を被装着体に固定するための翼状部材が設けられていることを特徴とする請求項１ないし請求項７のいずれかに記載の留置針。
【発明の詳細な説明】
【技術分野】
【０００１】
本発明は留置針に関し、具体的には収納状態において針を保護カバー内に収納する留置針に関する。
【背景技術】
【０００２】
今日、点滴や透析等のため、患者に留置針を穿刺することが行われており、その際患者から抜いた留置針が医療従事者に誤って刺さる事故を防止する必要がある。
このため、先端に刃先が形成された針と、該針の後端を保持する筒状のハブと、上記針に沿って摺動可能に設けられた筒状の保護カバーとを備えた留置針が知られている。（特許文献１〜３）
特許文献１の留置針は、カヌラの後端を保持するハブと、該ハブをその内部に収納して保持する保持筒とから構成され、保持筒を摺動させることで該保持筒内にカヌラを収納するようになっている。
特許文献２の留置針は、針カニューレの後端に設けられたハブと、該ハブを摺動可能に収納する安全シールドとから構成され、使用状態からアクチュエータを操作すると、ハブと安全シールドとの間に弾装されたばねが伸展し、安全シールドが針カニューレを収納するようになっている。
特許文献３の留置針は、針カニューレおよび針ハブによって構成された針アセンブリと、該針アセンブリを摺動可能に収納する胴部とから構成され、医療処置が終了したら作動ボタンを操作することにより、ばねの弾性力により突き刺し要素を胴部に入れるようになっている。
このように、特許文献１〜３の留置針によれば、使用後には針を保護カバー内に収納する収納状態とすることで、上記事故を防止するようになっている。
【特許文献１】特開平１０−８５３３３号公報
【特許文献２】特開２００２−３３０９４５号公報
【特許文献３】特開２００３−１８０８２９号公報
【発明の開示】
【発明が解決しようとする課題】
【０００３】
しかしながら、上記特許文献１〜３の留置針の場合、上記保護カバーの長さを針が保護カバーから突出している長さよりも長く設定する必要があり、使用状態において患者に固定される部材の長さを長くせざるを得なかった。
その場合、たとえば透析治療を受けている患者の場合、何度も針を穿刺することで穿刺された部分の組織が硬化し、こぶ状の隆起ができてしまうが、使用状態において患者に固定される部材の長さが長いと、留置針を患者に固定した際に留置針が隆起に触れてしまい、血管に挿入される針の角度がぶれて患者が痛みを訴える場合があった。
また、上記特許文献２、３の場合、ばねの弾性力によってハブを本体部に対して後退させ、針が保護カバー内に収容されるまで該ハブを後退させる構成となっているため、血管から針が急激に引き抜かれて血管が傷つけられ、また針の内部や表面に付着した血液や体液が飛散してしまう恐れもあった。
このような問題に鑑み、本発明は使用状態において被装着体に固定される部材の長さが短く、また血管を傷めたり、血液が飛散するのを防止することの可能な留置針を提供するものである。
【課題を解決するための手段】
【０００４】
すなわち請求項１における留置針は、先端に刃先が形成された針と、該針を保持する筒状のハブと、上記針を囲繞するとともに該針に沿って摺動可能に設けられた筒状の保護カバーとを備え、
上記保護カバーを針の後端側に相対移動させて針の刃先を保護カバーより突出させる使用状態と、上記保護カバーを針の先端側に相対移動させて針の刃先を保護カバー内に収納する収納状態とに切替え可能な留置針において、
上記ハブに筒状の本体部を摺動自在に設けるとともに、この本体部に保護カバーを摺動自在に設けて上記針を本体部及び保護カバー内に摺動自在に貫通させ、また上記本体部と保護カバーとの間にばねを弾装して本体部を後端側に、保護カバーを先端側にそれぞれ付勢させ、
さらに上記本体部とハブとの間に、本体部に対してハブ及び針を先端側に前進させた使用状態で保持する第１保持機構を設け、上記本体部と保護カバーとの間に、上記ばねの弾性力に抗して本体部に対して保護カバーを後端側に後退させた使用状態で保持する第２保持機構を設け、
上記第１保持機構は、上記ハブから本体部に向けて突出する第１突起を備え、この第１突起の後端側の端面を、上記本体部に形成された第１係合部の先端側の端面に係合させて上記ハブが本体部に対して後退しないように使用状態に保持し、
上記第２保持機構は、上記保護カバーから本体部に向けて突出する第２突起を備え、この第２突起の先端側の端面を、上記本体部に形成された第２係合部の後端側の端面に係合させて上記保護カバーが本体部に対して前進しないように使用状態に保持し、
第１保持機構を解除して本体部に対してハブを収容状態に向けて後退させると、上記第１突起は上記ハブが本体部に対して後退された際に第２突起を押圧して該第２突起と第２係合部との係合状態を解除させて第２保持機構を解除し、上記ばねの弾性力により本体部に対して保護カバーが前進し、収納状態となることを特徴としている。
【発明の効果】
【０００５】
上記発明によれば、使用状態においては保護カバーとハブとを接近させているので、使用状態において被装着体に固定される部材の長さを短くすることができ、患者への負担を軽減することができる。
具体的に説明すると、上記保護カバーおよびハブは本体部によって摺動可能に保持されており、使用状態において上記ハブは本体部に対して保護カバー側に接近した位置に保持されている。
この状態から第１保持機構を解除して本体部に対してハブを収容状態に向けて後退させると、当該ハブは本体部から離隔する方向に相対移動し、このハブと本体部とが相対移動した距離だけ、患者に接触する部材の長さが長くなる。
換言すれば、針を突出させて患者に穿刺を行う使用状態においては、上記ハブと本体部との相対移動の距離だけ患者に接触する部材の長さを短くすることができ、皮膚にできた隆起を避けて留置針を固定することが可能となるので、患者への負担を軽減することができる。
また、使用状態から収納状態とする際に、本体部に対してハブを後退させる距離が、針の引き抜かれる距離となるので、上記特許文献のように針が一気に血管より引き抜かれることはなく、血管への負担を押さえることができる。
そして、本体部に対してハブを後退させることで上記第２保持機構が解除されて保護カバーが前進するので、針が本体部に対して後退した状態から針を保護カバー内に収納することができ、針の内部や表面に付着した血液や体液の飛散を防止することができる。
【発明を実施するための最良の形態】
【０００６】
以下本実施例について説明すると、図１、図２は本発明に係る留置針１を示し、このうち図１は留置針１の使用状態の断面図を、図２は収納状態の断面図を表すとともに、図１（ａ）、図２（ａ）は側面方向からの断面図を、図１（ｂ）、図２（ｂ）は平面方向からの断面図を表している。なお、以下の説明において、下記針４の刃先４ａ側を先端側とする。
本実施例の留置針１は、被装着体としての患者に固定される翼状部材２と、該翼状部材２を介して患者に固定される筒状の本体部３と、先端に刃先４ａの形成された中空の針４と、該針４の後端部を保持するとともに上記本体部３の後端側で摺動する筒状のハブ５と、上記本体部３に摺動可能に収容された筒状の保護カバー６と、上記ハブ５および保護カバー６の間に弾装されたばね７とから構成されている。
上記留置針１の使用状態とは、上記ハブ５を本体部３に対して前進端に位置させて上記針４が本体部３の先端より突出し、かつ保護カバー６を本体部３に対して後退端に位置させて本体部３内に保護カバー６を収容した状態のことをいう。
この使用状態では、針４の刃先４ａを患者に穿刺し、粘着テープ等により上記翼状部材２ごと本体部３を患者に固定するようになっている。
一方、留置針１の収納状態とは、上記ハブ５を本体部３に対して後退端に位置させて針４を本体部３より後退させ、かつ上記保護カバー６を本体部３より突出させて保護カバー６に針４を収納した状態のことをいう。
この収納状態では、患者への輸液等が終了したら保護カバー６に針４を収納して、刃先４ａが医療従事者に刺さってしまう事故を防止するようになっている。
そして本実施例の留置針１には、上記本体部３とハブ５とを使用状態に保持する第１保持機構Ａと、本体部３と保護カバー６とを使用状態に保持する第２保持機構Ｂと、本体部３とハブ５とを収納状態に保持する第３保持機構Ｃと、上記本体部３と保護カバー６とを収納状態に保持する第４保持機構Ｄとが備えられている。
【０００７】
上記翼状部材２は、本体部３を囲繞する筒状部２ａと、該筒状部２ａの両側に広がる翼部２ｂとから構成され、筒状部２ａの上方（図１（ａ）の上方）には回転防止のための溝２ｃが形成されている。
そして上記翼部２ｂを患者の皮膚に沿って変形させ、翼状部材２の表面から粘着テープ等によって固定することで、留置針１を患者に固定するようになっている。
【０００８】
上記本体部３は略円筒形を有する円筒部１１と、該円筒部１１の後端部に螺着されたキャップ１２とから構成されている。
上記円筒部１１の先端には上記翼状部材２の筒状部２ａが嵌合する連結部１１ａが形成され、該連結部１１ａの上方に形成した凸形状１１ｂに上記筒状部２ａの溝２ｃを嵌合させることで、翼状部材２と本体部３とが相対的に回転するのを防止している。
円筒部１１の外周面には、その上部に先端から後端に向けて第１ガイド溝１３（図２（ａ）参照）が形成され、第１ガイド溝１３の先端には内周面に向けて陥没する第１係合部１３ａが形成され、後端には外周面に向けて突出する第２係合部１３ｂが形成され、該第２係合部１３ｂの後端側には貫通孔１４が形成されている。
さらに、円筒部１１の両側には先端から後端に向けて第１ガイド孔１５がそれぞれ穿設されており、該第１ガイド孔１５の後端部をそれぞれ第３係合部１５ａとしている。
そして、円筒部１１の内周面には、その上部に先端から後端にかけて第２ガイド溝１６が、その下部に先端から後端にかけて第３ガイド溝１７がそれぞれ形成されている。
これら第２、第３ガイド溝１６、１７の先端側にはそれぞれ第４、第５係合部１６ａ，１７ａが内方に向けて突出し、第５係合部１７ａは第３ガイド溝１７の先端に形成され、第４係合部１６ａは上記第５係合部１７ａよりも後端側に形成されている。
上記キャップ１２は、上記針４を摺動可能に保持するとともに円筒部１１の後端部に螺合する摺動部１２ａと、該摺動部１２ａの後端に形成され、円筒部１１の後端部に当接する蓋部１２ｂとから構成されている。
そして上記摺動部１２ａの先端は本体部３の底部を構成しており、該摺動部１２ａの先端には上記ばね７の後端を当接させ、該ばね７の弾性力により後端側に向けて付勢されるようになっている。
【０００９】
上記ハブ５は上記本体部３を収容する筒状の筒状部２１と、該筒状部２１の後端に固定され、上記針４の後端部を保持するとともに、図示しない輸液チューブの連結される保持部２２とから構成されている。
上記筒状部２１は有底筒状となっており、該底部の中央には針４が貫通し、上記キャップ１２の蓋部１２ｂが当接するようになっている。そして筒状部２１の先端には上記使用状態を保持及び解除するための作動レバー２３が設けられている。
筒状部２１の先端には、その両側に内周に向けて突出する第３突起２４が形成され、該第３突起２４は上記本体部３に形成された第１ガイド孔１５に沿って移動するとともに、ハブ５と本体部３とが相対的に回転するのを防止している。
さらに、筒状部２１の内周面の上部には第４ガイド溝２５が先端から後端に向けて形成され、上記本体部３の第２係合部１３が該第４ガイド溝２５に沿って摺動するとともに、ハブ５と本体部３とが相対的に回転するのを防止している。
そして、上記作動レバー２３は、可撓性の腕部２３ａと、該腕部２３ａの先端側に設けられるとともに、本体部３の第１ガイド溝１３に沿って移動する第１突起２３ｂと、第１突起２３ｂの上部に設けられたつまみ２３ｃとから構成されている。
上記腕部２３ａは弾性変形し、使用状態においては上記第１突起２３ｂが上記第１係合部１３ａ内に嵌合するようになっている。この状態から上記つまみ２３ｃを上方に持ち上げて腕部２３ａを弾性変形させると、上記第１突起２３ｂを第１係合部１３ａより離脱させることが可能となっている
筒状部２１の後端と保持部２２の先端とは固着されており、保持部２２には保持した針４と輸液チューブの連結される連結部２２ａとの間に液体通路２２ｂが形成されており、輸液チューブを介して流入する輸液は該液体通路２２ｂより針４に供給される。
【００１０】
次に、上記保護カバー６は、その先端が使用状態において本体部３の先端と同じ位置となるよう、本体部３の内周面内に摺動可能に収納されている。
保護カバー６の上部には上記本体部３の第２ガイド溝１６に沿って移動する第２突起３１が形成され、また保護カバー６の下部には上記本体部３の第３ガイド溝１７に沿って移動する第４突起３２が形成されている。
上記第２突起３１は先端側から後端側に向けて突出する可撓性の変形部３１ａの後端に設けられており、第２突起３１が内周面に向けて押圧されると、変形部３１ａは弾性変形するようになっている。
【００１１】
上記留置針１の本体部３およびハブ５を使用状態に保持する第１保持機構Ａについて説明すると、図１において、ハブ５を本体部３に対して前進端に位置させると、上記本体部３におけるキャップ１２の蓋部１２ｂがハブ５の筒状部２１の底面に当接し、上記本体部３における作動レバー２３の第１突起２３ｂが本体部３における第１ガイド溝１３の第１係合部１３ａ内に挿入されるようになっている。
このとき、上記第１突起２３ｂの後端側の端面が上記第１係合部１３ａの先端側の端面に係合し、これにより、本体部３に対してハブ５が後退しないように保持して、本体部３とハブ５との使用状態を保持するようになっている。
【００１２】
次に、本体部３および保護カバー６を使用状態に保持する第２保持機構Ｂについて説明すると、図１において、保護カバー６を本体部３に対して後退端に位置させると、保護カバー６の先端と本体部３の先端とが一致し、上記第２突起３１が本体部３の第１貫通孔１４に挿入されるようになっている。
このとき、上記第２突起３１の先端側の端面が、上記第２係合部１３ｂの後端側の端面に係合し、これにより、ばね７の弾性力に抗して保護カバー６が前進しないよう保持して、本体部３と保護カバー６との使用状態を保持するようになっている。
【００１３】
次に、本体部３およびハブ５を収納状態に保持する第３保持機構Ｃについて説明すると、図２において、上記ハブ５は本体部３に対して後退端まで移動した状態となっている。
このとき、上記作動レバー２３の第１突起２３ｂは、上記本体部３の貫通孔１４内に挿入され、該第１突起２３ｂの先端側の端面は上記第２係合部１３ｂの後端側の端面に係合し、ハブ５が本体部３に対して前進するのを規制して使用状態に戻るのを防止している。
また収納状態において、ハブ５の筒状部２１に形成された第３突起２４は、本体部３の第１ガイド孔１５の後端に位置しており、第３突起２４の後端側の端面が第３係合部１５ａの先端側の端面に係合することで、以上ハブ５が本体部３より脱落しないように保持するようになっている。
このように、ハブ５に形成された第１突起２３ｂと本体部３に形成された第１係合部１３ａとを係合させ、さらにハブ５に形成された第３突起２４と本体部３に形成された第３係合部１５ａとを係合させることで、本体部３及びハブ５を収納状態に保持することができる。
【００１４】
そして本体部３および保護カバー６を収納状態に保持する第４保持機構Ｄについて説明すると、図２において、上記保護カバー６は本体部３に対して前進端まで移動し、保護カバー６内に針４が収納された状態となっている。
このとき、上記保護カバー６の第２突起３１は本体部３における第２ガイド溝１６の第４係合部１６ａよりも先端側に位置し、これにより第２突起３１の後端側の端面と第４係合部１６ａの先端側の端面とが係合して、これ以上保護カバー６が後退するのを規制して使用状態に戻るのを防止している。
一方、保護カバー６の第４突起３２は上記本体部３の第３ガイド溝１７内に形成された第５係合部１７ａの後端側に位置しており、第４突起３２の先端側の端面と第５係合部１７ａの後端側の端面とが係合することで、保護カバー６が本体部３より脱落するのを防止している。
このように、保護カバー６に形成された第２突起３１と本体部３に形成された第４係合部１６ａとを係合させ、さらに保護カバー６に形成された第４突起３２と本体部３に形成された第５係合部１７ａとを係合させることで、本体部３及び保護カバー６を収納状態に保持することができる。
【００１５】
以上の構成を有する本実施例の留置針１の使用方法について説明する。
最初に、留置針１は上記使用状態で使用されるようになっており、ハブ５の連結部２２ａにはあらかじめ輸液チューブが接続され、また針４を患者に穿刺するまでは、針４の外周を図示しないカバーによって覆うようになっている。
次に、上記カバーを取り外して上記針４を患者の血管に穿刺し、翼状部材２を患者の皮膚に沿って変形させたら、該翼状部材２をテープ等によって患者に固定し、留置針１が患者に固定される。
その後、輸液チューブからの輸液は保持部２２に形成された液体通路２２ｂおよび針４を介して患者に送液される。
輸液が終了したら、翼状部材２を患者に固定したままの状態で、医療従事者により上記作動レバー２３のつまみ２３ｃを持ち上げ、医療従事者はつまみを本体部３に対して後端側に移動させる。
すると、上記作動レバー２３の腕部２３ａが弾性変形して第１突起２３ｂが本体部３の第１係合部１３ａより離脱し、第１突起２３ｂは第１ガイド溝１３に沿って後退する。
そして第１突起２３ｂが第１ガイド溝１３の第２係合部１３ｂに形成された傾斜面を通過して該第２係合部１３ｂを超えると、作動レバー２３の腕部２３ａは弾性変形より復帰し、第１突起２３ｂは本体部３に形成された貫通孔１４に挿入される。
その結果、該第１突起２３ｂの先端側の端面は上記第２係合部１３ｂの後端側の端面に当接するようになり、ハブ５が本体部３に対して前進するのが規制されることとなる。
一方、ハブ５が本体部３に対して後退すると、上記ハブ５に形成された第３突起２４が第１ガイド孔１５に沿って後退し、上記第３係合部１５ａに当接すると、ハブ５はそれ以上後退しなくなる。
このようにして、本体部３とハブ５とは第３保持機構Ｃにより収納状態に保持されるようになり、このような収納状態とすることで、翼状部材２によって患者に固定されている本体部３から、ハブ５の移動量だけ針４が患者から引き抜かれることとなる。
このハブ５の移動は医療従事者によって行われるため、針４が血管から急激に引き抜かれるのが防止され、血管が痛んでしまうのを防止することができる。
なお、このとき刃先４ａを血管から完全に引き抜く必要はない。
【００１６】
このようにしてハブ５と本体部３とが第３保持機構Ｃによって収納状態に保持されると同時に、上記第１突起２３ｂが貫通孔１４内に挿入されることにより、該第１突起２３ｂが上記保護カバー６の第２突起３１を上部から押圧するようになる。
上記作動レバー２３の腕部２３ａが弾性変形より復帰する力に対し、上記第２突起３１を保持する変形部３１ａの弾性力は弱く設定されており、第１突起２３ｂが第２突起３１を押圧すると、第２突起３１は内周面に向けて移動し、第２突起３１と第２係合部１３ｂとの係合状態が解除され、上記第２保持機構Ｂが解除される。
すると、保護カバー６と本体部３との間に弾装されたばね７により、保護カバー６と本体部３とは相互に離隔するようになる。このとき、本体部３は患者に固定されていることから、保護カバー６は本体部３に対して前進することとなる。
保護カバー６が前進する間、上記第２突起３１の腕部２３ａは内周面に向けて弾性変形しており、第２突起３１が第２ガイド溝１６の第４係合部１６ａの傾斜面を通過して該第４係合部１６ａを乗り越えると、変形部３１ａは弾性変形から復帰して再び第２突起３１は外周に向けて突出し、第４係合部１６ａの先端側に位置するようになる。
これにより、第２突起３１の後端側の端面と、第４係合部１６ａの先端側の端面とが係合するようになり、保護カバー６は本体部３に対して後退しなくなり、使用状態に復元するのが規制される。
さらに、上記第４突起３２は本体部３の第３ガイド溝１７に沿って移動し、第４突起３２の先端側の端面が第３ガイド溝１７の第５係合部１７ａの後端側の端面に係合すると、保護カバー６はこれ以上本体部３に対して前進しなくなり、保護カバー６が本体部３より脱落するのが規制される。
これにより、保護カバー６と本体部３とは第４保持機構Ｄにより収納状態に保持されるようになる。
このように、保護カバー６と本体部３とを収納状態に保持する第２保持機構Ｂは、本体部３とハブ５とを収納状態に保持すると解除され、保護カバー６はばね７の付勢力によって前進するようになっている。
このため、患者の腕から針４を引き抜く際、該針４を本体部３に対して突出する保護カバー６内に収納することができ、その結果、針４の内部や表面に付着した血液や体液が飛散するのを防止することができる。
【００１７】
このような構成を有する本実施例の留置針１によれば、使用状態において患者に接触する部材の長さを短くすることができる。
具体的には、使用状態においては本体部３に対してハブ５を先端側に位置させてハブ５内に本体部３の後端側を収納することにより、針４が本体部３の先端より突出する長さを長くして、患者に接触する部分を短くすることができる。
そして収納状態とすると、本体部３に対してハブ５が後端側に相対移動し、本体部３がハブ５より露出するので、患者に接触する部分が長くなるが、この収納状態は留置針１を患者から取り除く短期間だけであり、患者に負担を与えることはない。
次に、使用状態から収納状態とする際には、最初に医療従事者によりハブ５を本体部３に対して相対的に後退させるので、ばね７の弾性力を使用しないで針４を患者から引き抜くことができ、血管の損傷を押さえることができる。
そしてハブ５と本体部３とが第３保持機構Ｃによって収納状態に保持されると、保護カバー６と本体部３との使用状態が解除される（第２保持機構Ｂが解除される）ので、針４が引き抜かれた状態で保護カバー６がばね７の力によって前進し、針４を保護カバー６内に収容することができる。
このとき針４はハブ５を本体部３に対して後退させていることから、保護カバー６が突出して針４を収納しても、針４の内部や表面に付着した血液の飛散を押さえることができ、また針４を保護カバー６に収納することによって、医療従事者に針４が刺さってしまう事故を防止することができる。
【図面の簡単な説明】
【００１８】
【図１】本実施例における留置針１の使用状態を示す図であり、（ａ）は側面方向から見た断面図を、（ｂ）は平面方向から見た断面図を示す。
【図２】本実施例における留置針１の収納状態を示す図であり、（ａ）は側面方向から見た断面図を、（ｂ）は平面方向から見た断面図を示す。
【符号の説明】
【００１９】
１  留置針                  ３  本体部
４  針                      ５  ハブ
６  保護カバー              ７  ばね
１１  円筒部                １２  キャップ
１３ａ  第１係合部          １３ｂ  第２係合部
１５  第１ガイド孔          １５ａ  第３係合部
１６  第２ガイド溝          １６ａ  第４係合部
１７  第３ガイド溝          １７ａ  第５係合部
２３  作動レバー            ２３ｂ  第１突起
２４  第３突起              ３１  第２突起
３２  第４突起              Ａ〜Ｄ  第１〜第４保持機構
【図１】
0004736042.tif 000002
【図２】
0004736042.tif 000003